(57)【要約】【課題】使用者が天井から吊り下げられたリングを掴むことで呼び出しを行う場合に、使用者の安全性を向上させる。【解決手段】天井に吊り下げられた紐状部１に第一のアーム部３および第二のアーム部４を接続し、常態で第一のアーム部３および第二のアーム部４の他端が近接してリングを形成して、リングの内側に力が加わることで、接続部５は第一のアーム部３および第二のアーム部４の一端を軸として他端を離間させる。そして、これを検出した場合に呼出信号を生成している。これにより、使用者がリングを掴むことで、リングを形成していた第一のアーム部３および第二のアーム部４の他端が離間して呼出信号が生成されるので、使用者は、リングを掴もうとしてもリングを立ち上がるための手掛かりとして使用することができない。従って、使用者が天井から吊り下げられたリングを掴むことで呼び出しを行う場合に、使用者の安全性を向上させることができる。【選択図】図１
2013248067.tif 000002
【特許請求の範囲】
【請求項１】
天井の壁面から離れた所定の位置から吊り下げられており、使用者の手が届く程度の長さの紐状部と、
前記使用者が掴むことができる程度の大きさのリングを形成する第一のアーム部および第二のアーム部と、
前記第一のアーム部の一端および前記第二のアーム部の一端を前記紐状部に接続するとともに、常態で前記第一のアーム部の他端および前記第二のアーム部の他端が近接して前記リングを形成し、前記リングの内側に力が加わることで、前記第一のアーム部の一端および前記第二のアーム部の一端を軸として前記第一のアーム部の他端および前記第二のアーム部の他端を離間させる接続部と、
前記第一のアーム部の他端および前記第二のアーム部の他端が離間したことを検出する検出部と、
前記検出部が前記離間したことを検出した場合に呼出信号を生成する制御部と、
を備えたことを特徴とする呼出装置。
【発明の詳細な説明】
【技術分野】
【０００１】
本発明は、室内の入居者などが管理人などを呼び出すための呼出装置に関し、特に、室内の天井部分から吊り下げられて設置されることを特徴とする呼出装置に関する。
【背景技術】
【０００２】
一般的に、高齢者住宅や病院などでは、ナースコールシステムが用いられている。ナースコールシステムは、住宅内の入居者や病院内の患者が介護士や看護師などのサポートを必要とする際に、入居者や患者（以下、これらをまとめて使用者と記載する）が呼び出しの操作を行うことによって介護士や看護師（以下、これらをまとめて管理者と記載する）を呼び出すことができるように成されたシステムである。
【０００３】
多くのナースコールシステムは、壁面に設置されるナースコール子機と、管理者が常駐する管理室に設置されるナースコール親機とを備えて構成されている。また、上述した構成に加えて、管理者が携帯するＰＨＳ（Personal Handy phone System）端末などの携帯端末とＰＢＸ（Private Branch Exchange：電話交換機）とを備えたナースコールシステムも提供されている。
【０００４】
ところで、通常の部屋にナースコール子機を設置する場合、押しボタンを壁面に設置した壁埋込形子機や、壁埋込形子機にコードにて接続されており、使用者が手に握って使用する握り押しボタン、同じく壁埋込形子機にコードにて接続されており、マイクおよびスピーカーにより通話機能を有するハンド形子機が用いられる（例えば、特許文献１を参照）。ここで、使用者が壁埋込形子機の近傍に居る場合には、壁埋込形子機を使用して呼び出しを行うことが可能である。また、使用者が壁埋込形子機から離れた場所に居る場合には、握り押しボタンおよびハンド形子機を使用して呼び出しを行うことが可能である。
【０００５】
特許文献１に記載の技術では、トイレや浴室などにナースコール子機を設置する場合に、押しボタンを壁面に設置している。そのため、便器や浴槽が壁面から離れている場合には、使用者が壁面の押しボタンを操作し難くなってしまうという問題があった。
【０００６】
このような問題を解決するために、通常の部屋と同様に握り押しボタンやハンド形子機をコードにて壁面に接続することも考えられるが、握り押しボタンやハンド形子機をある程度自由に配置することができることから、握り押しボタンやハンド形子機が便器や浴槽の水により故障したり、防水の処理が必要になったりすることがあった。
【０００７】
また、握り押しボタンやハンド形子機を天井から吊り下げることも考えられるが、天井から吊り下げられた握り押しボタンやハンド形子機を操作するためには、使用者が握り押しボタンやハンド形子機を掴んだ後でボタンを押す必要があるため、使用者が操作し難くなってしまうことがあった。
【０００８】
そのため、天井から吊り下げた紐の先端にリング状の取っ手を取り付け、その取っ手を引くことにより呼び出しを行うナースコール子機を用いることが行われていた。しかしながら、天井から吊り下げられたリング状の取っ手は、便器に座っていたり浴槽に入っていたりする使用者が立ち上がるための手掛かりとして使用することができる（例えば、特許文献２を参照）と誤認する可能性があるため、天井から吊り下げられたリング状の取っ手をそのままナースコール子機として使用することには問題があった。
【先行技術文献】
【特許文献】
【０００９】
【特許文献１】特開２００３−１２６１８３号公報
【特許文献２】特開平７−１８９５０８号公報
【発明の概要】
【発明が解決しようとする課題】
【００１０】
本発明は、このような問題を解決するために成されたものであり、使用者が天井から吊り下げられたリングを掴むことで呼び出しを行う場合に、使用者の安全性を向上させることを目的とする。
【課題を解決するための手段】
【００１１】
上述した課題を解決するために、本発明では、天井の壁面から離れた位置に吊り下げられた紐状部に一端を接続する第一のアーム部および第二のアーム部を接続するとともに、常態で第一のアーム部の他端および第二のアーム部の他端が近接して、使用者が掴むことができる程度の大きさのリングを形成し、リングの内側に力が加わることで、第一のアーム部の一端および第二のアーム部の一端を軸として第一のアーム部の他端および第二のアーム部の他端を離間させる接続部を備え、離間したことを検出した場合に呼出信号を生成するようにしている。
【発明の効果】
【００１２】
上記のように構成した本発明によれば、使用者が紐状部により天井から吊り下げられたリングを掴むことでリングを形成していた第一のアーム部および第二のアーム部の先端部分が離間し、これを検出することで呼出信号が生成されるので、使用者がリングを掴もうとしても、立ち上がるための手掛かりとして使用することができない。従って、使用者が天井から吊り下げられたリングを掴むことで呼び出しを行う場合に、使用者の安全性を向上させることができる。
【図面の簡単な説明】
【００１３】
【図１】本実施形態による呼出装置の構成例を示す図である。
【図２】本実施形態による呼出装置の動作例を示す図である。
【発明を実施するための形態】
【００１４】
以下、本発明の一実施形態を図面に基づいて説明する。図１は、本実施形態による呼出装置の構成例を示す図である。また、図２は、本実施形態による呼出装置の動作例を示す図である。呼出装置は、浴室や居室、病室などの天井の壁面から離れた所定の位置に設置されている。ここで、所定の位置とは、呼出装置が浴室に設置されている場合には、浴槽の中央であったり浴室の中央であったりすることが好ましい。また、呼出装置が居室や病室に設置されている場合には、所定の位置は部屋の中央であることが好ましい。このように、本実施形態による呼出装置は、壁面から離れた場所に居る使用者によって使用される。
【００１５】
また、呼出装置は、紐状部１、取付部２、第一のアーム部３、第二のアーム部４、接続部５、検出部６、制御部７を備えて構成されている。紐状部１は、紐状のコードにより構成されており、天井の所定の位置に設けられた取付部２に紐状部１の一端部分が取り付けられる。ここで、紐状部１は、後述する第一のアーム部３や第二のアーム部４、接続部５、検出部６の重量と、第一のアーム部３および第二のアーム部４にかかる使用者の手の重量とを合わせた重量に耐えられる強度を有する。また、紐状部１の長さは、使用者の手が届く程度の長さである。
【００１６】
第一のアーム部３および第二のアーム部４は、ともに略Ｕ字状の外観を持ち、第一のアーム部３および第二のアーム部４の一端同士と第一のアーム部３および第二のアーム部４の他端同士とを近接させることで、使用者が掴むことができる程度の大きさのリングを形成する。
【００１７】
接続部５は、第一のアーム部３の一端を紐状部１の他端部分に接続するとともに、第二のアーム部４の一端を紐状部１の他端部分に接続する。また、接続部５は、第一のアーム部３および第二のアーム部４の少なくとも一方が使用者によって掴まれていない状態（換言すると、第一のアーム部３および第二のアーム部４の少なくとも一方に力が加わっていない状態）で、第一のアーム部３および第二のアーム部４の自重により、第一のアーム部３の他端と第二のアーム部４の他端とが近接してリングを形成する。
【００１８】
また、接続部５は、第一のアーム部３および第二のアーム部４の少なくとも一方が使用者によって掴まれた状態（換言すると、第一のアーム部３および第二のアーム部４の少なくとも一方に力が加わっている状態）で、第一のアーム部３の一端および第二のアーム部４の一端に接続されている部分を軸として、第一のアーム部３の他端および第二のアーム部４の他端が離間させるように、第一のアーム部３および第二のアーム部４を回動させる。
【００１９】
検出部６は、紐状部１および接続部５に取り付けられており、第一のアーム部３の他端および第二のアーム部４の他端が離間したことを検出する。ここで、検出方法としては、例えば、第一のアーム部３および第二のアーム部４の回動を検出するスイッチが用いられる。また、検出部６への電源は、紐状部１によって供給される。
【００２０】
制御部７は、天井などに埋め込まれており、紐状部１を解して検出部６に接続されている。第一のアーム部３の他端および第二のアーム部４の他端が離間したことを検出部６にて検出した場合に、制御部７は、呼出信号を生成して図示しない管理装置へ出力する。呼出信号を入力した管理装置では、呼出装置が設置された浴室や居室、病室などで呼び出しが行われたことを報知する。
【００２１】
このように構成された呼出装置を使用する場合、図２に示すように、使用者は手で第一のアーム部３および第二のアーム部４を掴もうとする。すると、第一のアーム部３および第二のアーム部４の少なくとも一方に力が加わり、その力と第一のアーム部３および第二のアーム部４によって形成されるカーブとによって、接続部５は、第一のアーム部３の他端および第二のアーム部４の他端を離間させる。第一のアーム部３の他端および第二のアーム部４の他端が離間したことを検出部６にて検出すると、制御部７は呼出信号を生成して管理装置へ出力する。
【００２２】
第一のアーム部３の他端および第二のアーム部４の他端が離間すると、使用者の手は第一のアーム部３および第二のアーム部４から離れ、使用者が第一のアーム部３および第二のアーム部４を掴もうとする前の状態に戻る。そして、呼出装置は、図１に示す状態に戻る。
【００２３】
以上詳しく説明したように、本実施形態によれば、天井の壁面から離れた位置に吊り下げられた紐状部１に一端を接続する第一のアーム部３および第二のアーム部４を接続するとともに、常態で第一のアーム部３の他端および第二のアーム部４の他端が近接して、使用者が掴むことができる程度の大きさのリングを形成し、リングの内側に力が加わることで、第一のアーム部３の一端および第二のアーム部４の一端を軸として第一のアーム部３の他端および第二のアーム部４の他端を離間させる接続部５を備え、離間したことを検出部６にて検出した場合に、制御部７が呼出信号を生成するようにしている。
【００２４】
これにより、使用者が紐状部１により天井から吊り下げられたリングを掴むことで、リングを形成していた第一のアーム部３および第二のアーム部４の先端部分が離間し、これを検出することで呼出信号が生成されるので、使用者がリングを掴もうとしても、第一のアーム部３および第二のアーム部４を立ち上がるための手掛かりとして使用することができない。従って、使用者が天井から吊り下げられたリングを掴むことで呼び出しを行う場合に、使用者の安全性を向上させることができる。
【００２５】
なお、前述した実施形態では、第一のアーム部３および第二のアーム部４は、自重により他端を近接させているが、これに限定されない。例えば、バネなどの部材を用いて第一のアーム部３および第二のアーム部４の他端を近接させるようにしても良い。
【００２６】
また、前述した実施形態では、紐状部１の長さが固定であるが、これに限定されない。例えば、紐状部１を天井内に巻き取ったり引き出したりすることができるようにして、紐状部１の長さを可変できるようにしても良い。この場合、使用者がリングを掴もうとした際に、紐状部１が天井内から引き出されない程度の力で紐状部１が天井に保持されている必要がある。
【００２７】
また、前述した実施形態では、検出部６が接続部５の近傍に設置されているが、これに限定されない。例えば、検出部６を天井に埋め込むようにしても良い。この場合、検出部６は、紐状部１が引っ張られる力を検出することで、第一のアーム部３および第二のアーム部４の他端が離間したことを検出することができる。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２９】
１    紐状部
２    取付部
３    第一のアーム部
４    第二のアーム部
５    接続部
６    検出部
７    制御部
【図１】
2013248067.tif 000003
【図２】
2013248067.tif 000004